(57)【要約】【課題】写真撮影および撮影された写真のプリントを自動的に要求することができる、モバイル機器の写真撮影およびプリント要求システムが提供される。【解決手段】写真撮影およびプリント要求システムは、モバイル機器にアプリケーションの形で搭載され、モバイル機器のカメラを駆動して、撮影可能回数が設定されたデジタルフィルムに対応するように写真を撮影して自動的に外部のプリントシステムへ伝送する。【選択図】図２
2019186904.tif 000002
【特許請求の範囲】
【請求項１】
モバイル機器にアプリケーションの形で搭載された写真撮影およびプリント要求システムであって、
それぞれごとに撮影可能回数が設定された一つ以上のデジタルフィルムと、
前記デジタルフィルムに対応して撮影済みの写真が保存された保存モジュールと、
前記一つ以上のデジタルフィルムの中から選択されたデジタルフィルムの撮影可能回数に基づいて前記モバイル機器のカメラを駆動して写真を撮影するカメラ駆動モジュールと、
前記カメラ駆動モジュールによって、前記選択されたデジタルフィルムの撮影可能回数の撮影が完了すると、前記選択されたデジタルフィルムに対応する一つ以上の撮影写真を外部のプリントシステムへ伝送してプリントを要求するプリント要求モジュールと、を含むモバイル機器の写真撮影およびプリント要求システム。
【請求項２】
前記モバイル機器の画面に撮影画面を表示するとき、前記カメラによるライブビュー画面と、前記カメラによる撮影済みの写真のプレビュー画面とが一緒に表示されるようにする表示モジュールをさらに含むことを特徴とする請求項１に記載のモバイル機器の写真撮影およびプリント要求システム。
【請求項３】
前記表示モジュールは、前記カメラ駆動モジュールによって前記ライブビューの直前の時点の撮影写真の前記プレビュー画面が表示されるようにすることを特徴とする請求項２に記載のモバイル機器の写真撮影およびプリント要求システム。
【請求項４】
前記ライブビュー画面が陽画として表示され、前記プレビュー画面が陰画またはモノクロイメージのいずれかとして表示されることを特徴とする請求項２に記載のモバイル機器の写真撮影およびプリント要求システム。
【請求項５】
前記カメラ駆動モジュールは、前記カメラの撮影動作を制御する撮影制御部と、前記カメラに撮影効果を提供する効果制御部と、を含むことを特徴とする請求項１に記載のモバイル機器の写真撮影およびプリント要求システム。
【請求項６】
前記保存モジュールは、種類ごとに互いに異なる撮影効果を提供する前記デジタルフィルムが保存されたフィルム保存部と、前記デジタルフィルムのそれぞれに対応する前記撮影写真がサムネイルイメージとして保存された写真保存部と、を含むことを特徴とする請求項１に記載のモバイル機器の写真撮影およびプリント要求システム。
【請求項７】
前記撮影写真は、撮影日時および撮影場所の情報を含んで保存されることを特徴とする請求項６に記載のモバイル機器の写真撮影およびプリント要求システム。
【請求項８】
前記プリント要求モジュールは、前記撮影写真と一緒にプリントされた写真の配送をオフラインで受ける住所情報を前記プリントシステムへ伝送することを特徴とする請求項１に記載のモバイル機器の写真撮影およびプリント要求システム。
【請求項９】
前記デジタルフィルムの購入および前記撮影写真のプリントの費用決済を制御する決済モジュールと、初期駆動時にユーザー認証を行い、前記モバイル機器のプロセッサから前記カメラの動作制御権限を取得し、前記保存モジュール、前記カメラ駆動モジュール、前記プリント要求モジュールおよび前記決済モジュールの動作を制御する制御モジュールとをさらに含むことを特徴とする請求項１に記載のモバイル機器の写真撮影およびプリント要求システム。
【請求項１０】
モバイル機器にアプリケーションの形で搭載された写真撮影およびプリント要求システムを用いた写真撮影およびプリント要求方法であって、
すでに保存された一つ以上のデジタルフィルムの中から選択されたデジタルフィルムの撮影可能回数に基づいて前記モバイル機器のカメラを駆動して写真を撮影する段階と、
撮影回数と前記選択されたデジタルフィルムの撮影可能回数とを比較する段階と、
比較した結果、前記撮影回数が前記撮影可能回数と同一である場合には、撮影写真を外部のプリントシステムへ伝送してプリントを要求する段階と、を含むモバイル機器の写真撮影およびプリント要求方法。
【請求項１１】
前記写真を撮影する段階は、前記モバイル機器の画面に撮影画面を表示する段階をさらに含み、前記撮影画面は、前記カメラによるライブビュー画面と前記カメラによる撮影済み写真のプレビュー画面とが一緒に表示されて構成されることを特徴とする請求項１０に記載のモバイル機器の写真撮影およびプリント要求方法。
【請求項１２】
前記プレビュー画面が前記ライブビューの直前の時点の撮影写真の画面であることを特徴とする請求項１１に記載のモバイル機器の写真撮影およびプリント要求方法。
【請求項１３】
前記ライブビュー画面が陽画として表示され、前記プレビュー画面が陰画またはモノクロイメージのいずれかとして表示されることを特徴とする請求項１１に記載のモバイル機器の写真撮影およびプリント要求方法。
【請求項１４】
前記プリントを要求する段階は、前記撮影写真、前記撮影写真の関連情報、および前記撮影写真のプリントされた写真を受ける住所情報、を一緒に伝送することを特徴とする請求項１０に記載のモバイル機器の写真撮影およびプリント要求方法。
【請求項１５】
前記モバイル機器のカメラによって写真が撮影されると前記選択されたデジタルフィルムに対応するように前記撮影写真を保存する段階をさらに含み、前記撮影写真はサムネイルイメージとして保存されることを特徴とする請求項１０に記載のモバイル機器の写真撮影およびプリント要求方法。
【発明の詳細な説明】
【技術分野】
【０００１】
本発明は、写真撮影およびプリント要求システムに関し、より詳細には、モバイル機器にアプリケーション（以下、アプリ）の形で搭載され、写真撮影および撮影された写真のプリントを自動的に要求することができる、モバイル機器の写真撮影およびプリント要求システムならびに方法に関する。
【背景技術】
【０００２】
無線ネットワークを使用する携帯電話やスマートフォンなどのモバイル端末が普遍化されている。これらのモバイル端末は、装着されているカメラを用いて写真または動画を撮影し、これを画面に表示しまたは内部のメモリに保存する。これとともに、モバイル端末によって伝送される、撮影された写真などをプリントするオンライン写真プリントサービスが次第に増加している。
【０００３】
しかし、従来のモバイル端末を用いて写真プリントサービスを利用するためには、まず、ユーザーがプリントサービスを提供するシステムにユーザー認証を介して接続をした後、ユーザーのモバイル端末のメモリに保存されている多数の写真の中から、プリントサービスを要求する対象とする写真を選択し、当該システムにアップロードしなければならないという不便さがあった。
【０００４】
また、モバイル端末のメモリは、保存容量の限界により多数の写真を保存することができない。よって、撮影写真のプリントサービスを要求していない状態で、ユーザーがモバイル端末を用いて多数の写真を撮影すると、メモリにすでに保存されていた写真が削除されるという問題が生じていた。これにより、ユーザーは、メモリに保存された以前の写真のプリントサービスを要求することができなかった。
【発明の概要】
【発明が解決しようとする課題】
【０００５】
本発明の目的は、写真撮影および撮影された写真のプリントを自動的に要求することができる、モバイル機器の写真撮影およびプリント要求システムならびに方法を提供することにある。
【課題を解決するための手段】
【０００６】
本発明の実施形態に係る写真撮影およびプリント要求システムは、モバイル機器にアプリケーションの形で搭載される。このような写真撮影およびプリント要求システムは、それぞれごとに撮影可能回数が設定された一つ以上のデジタルフィルムと、前記デジタルフィルムに対応して撮影済みの写真が保存された保存モジュールと、前記一つ以上のデジタルフィルムの中から選択されたデジタルフィルムの撮影可能回数に基づいて前記モバイル機器のカメラを駆動して写真を撮影するカメラ駆動モジュールと、前記カメラ駆動モジュールによって、前記選択されたデジタルフィルムの撮影可能回数の撮影が完了すると、前記選択されたデジタルフィルムに対応する一つ以上の撮影写真を外部のプリントシステムへ伝送してプリントを要求するプリント要求モジュールと、を含む。
【０００７】
本発明の実施形態に係る写真撮影およびプリント要求方法は、すでに保存された一つ以上のデジタルフィルムの中から選択されたデジタルフィルムの撮影可能回数に基づいて前記モバイル機器のカメラを駆動して写真を撮影する段階と、撮影回数と前記選択されたデジタルフィルムの撮影可能回数とを比較する段階と、比較した結果、前記撮影回数が前記撮影可能回数と同一である場合には、撮影写真を外部のプリントシステムへ伝送してプリントを要求する段階と、を含んでなる。
【発明の効果】
【０００８】
本発明の写真撮影およびプリント要求システムは、モバイル機器にアプリの形で搭載され、モバイル機器のカメラを用いて撮影した写真のプリントを自動的に要求することができる。よって、従来のようにユーザーが撮影写真のプリントのために多数の撮影写真の中から選択する操作を省略できる。
【０００９】
また、本発明の写真撮影およびプリント要求システムは、デジタルで実現された撮影可能回数が制限されているデジタルフィルムに対応するように写真を撮影し、撮影された写真に対して自動的に写真プリントを要求することができる。よって、本発明の写真撮影およびプリント要求システムは、モバイル機器にアプリの形で搭載されるが、その動作の際に、従来のアナログフィルムを用いるカメラのような効果を提供することができる。
【図面の簡単な説明】
【００１０】
【図１】本発明を示す概略図
【図２】図１に示された写真撮影およびプリント要求システムの構成を示す図
【図３】図２の制御モジュールの構成を示す図
【図４】図２のカメラ駆動モジュールの構成を示す図
【図５】図２の保存モジュールの構成を示す図
【図６】本発明の写真撮影およびプリント要求システムを用いた写真撮影およびプリント要求方法を示す図
【図７】本発明の写真撮影およびプリント要求システムの動作による様々な実施形態を示す図
【発明を実施するための形態】
【００１１】
以下、添付図面を参照して、本発明の実施形態についてその構成および作用を説明する。
【００１２】
図面中、同一の構成要素については、たとえ他の図面上に表示されても、できる限り同一の参照番号および符号で示していることに留意すべきである。本発明を説明するにあたり、関連した公知の機能または構成についての具体的な説明が本発明の要旨を無駄に曖昧にするおそれがあると判断された場合には、その詳細な説明を省略する。また、ある部分がある構成要素を「含む」とするとき、これは、特に反対の記載がない限り、他の構成要素を排除するのではなく、他の構成要素をさらに含むことができることを意味する。
【００１３】
また、本明細書および請求の範囲で使用された用語や単語は、通常的かつ辞典的な意味で解釈されてはならず、発明者らは自分の発明を最善の方法で説明するために用語の概念を適切に定義することができるという原則に基づき、本発明の技術的思想に符合する意味および概念で解釈されるべきである。よって、本明細書に記載された実施形態と図面に示された構成は、本発明の好適な実施形態に過ぎないもので、本発明の技術的思想をすべて代弁するものではないので、本出願時点において、これらを代替することができる様々な均等物および変形例があり得る。本発明の範囲は、次に記述する実施形態に限定されるものではない。
【００１４】
図１は本発明を示す概略図である。
【００１５】
図１を参照すると、本発明に係る写真撮影およびプリント要求システム１００は、ユーザー端末、たとえばユーザーが所持するスマートフォンなどのモバイル機器１０に搭載できる。
【００１６】
写真撮影およびプリント要求システム１００は、アプリケーション（以下、アプリ）の形でモバイル機器１０に搭載できる。このため、モバイル機器１０は、通信網４０を介して外部のアプリストア３０に接続でき、アプリストア３０から当該アプリの伝送を受けてインストールすることができる。
【００１７】
モバイル機器１０は、写真撮影およびプリント要求システム１００を用いて写真を撮影し、撮影された写真のプリントを自動的に要求することができる。このため、モバイル機器１０は、通信網４０を介して外部のプリントシステム２０に接続でき、写真撮影およびプリント要求システム１００を用いて撮影写真をプリントシステム２０へ伝送して写真プリントを要求することができる。プリントシステム２０は、モバイル機器１０から伝送された撮影写真をプリントし、これをオフラインでユーザーに配送することができる。
【００１８】
一方、本実施形態の写真撮影およびプリント要求システム１００は、通常の写真アプリとは異なり、限られた撮影回数に基づいて写真を撮影し、それによる撮影写真を自動的にプリントシステム２０へ伝送することができる。この際、写真撮影およびプリント要求システム１００は、撮影写真、およびプリントされた写真をオフラインで受ける住所情報を一緒に伝送することができる。
【００１９】
以下、図面を参照して、上述した本実施形態の写真撮影およびプリント要求システム１００についてさらに詳細に説明する。
【００２０】
図２は図１に示された写真撮影およびプリント要求システムの構成を示す図である。
【００２１】
図２を参照すると、本実施形態の写真撮影およびプリント要求システム１００は、モバイル機器１０に搭載され、モバイル機器１０の様々な構成要素、たとえば、プロセッサ１１、カメラ１２、ディスプレイ１３、ＧＰＳ１４およびメモリ１５などを用いて写真撮影およびプリント要求の作業を行うことができる。写真撮影およびプリント要求システム１００は、制御モジュール１１０、カメラ駆動モジュール１２０、保存モジュール１３０、プリント要求モジュール１４０、決済モジュール１５０および表示モジュール１６０を含むことができる。
【００２２】
制御モジュール１１０は、写真撮影およびプリント要求システム１００の全般的な動作を制御し、ユーザー認証および権限を管理することができる。図３に示すように、制御モジュール１１０は、認証管理部１１１、権限管理部１１３および駆動制御部１１５を含むことができる。
【００２３】
認証管理部１１１は、写真撮影およびプリント要求システム１００を実行するユーザーを認証することができる。認証管理部１１１は、モバイル機器１０で写真撮影およびプリント要求システム１００が最初実行されるときに少なくとも１回のユーザー認証を行うことができる。
【００２４】
権限管理部１１３は、写真撮影およびプリント要求システム１００の各モジュールの動作の際にモバイル機器１０のプロセッサ１１から権限を取得して管理することができる。権限管理部１１３で取得する権限は、モバイル機器１０のカメラ１２の制御権限、ディスプレイ１３の制御権限、ＧＰＳ１４の制御権限、およびメモリ１５の制御権限を含むことができる。権限管理部１１３によって後述のカメラ駆動モジュール１２０などの各モジュールでモバイル機器１０の多数の構成を容易に利用することができる。
【００２５】
駆動制御部１１５は、写真撮影およびプリント要求システム１００の各モジュールの動作を制御することができる。駆動制御部１１５は、権限管理部１１３によって取得された権限に基づいて、カメラ駆動モジュール１２０、保存モジュール１３０、プリント要求モジュール１４０、決済モジュール１５０および表示モジュール１６０それぞれの動作を制御することができる。これにより、カメラ駆動モジュール１２０は、モバイル機器１０のカメラ１２を用いて写真を撮影し、保存モジュール１３０は、撮影された写真を保存し、プリント要求モジュール１４０は、撮影された写真をプリント要求することができる。また、決済モジュール１５０は、プリント要求に応じた費用の決済が行われるようにし、表示モジュール１６０は、各モジュールに対応する画面が表示されるようにすることができる。
【００２６】
カメラ駆動モジュール１２０は、モバイル機器１０のカメラ１２を用いて写真を撮影することができる。図４に示すように、カメラ駆動モジュール１２０は撮影制御部１２１および効果制御部１２３を含むことができる。
【００２７】
撮影制御部１２１は、カメラ１２を用いて写真撮影が実行されるように制御することができる。図７ａに示すように、撮影制御部１２１は、モバイル機器１０の画面上に撮影ボタンの形で表示できるが、これに限定されない。撮影制御部１２１は、撮影ボタンがタッチされることにより、カメラ１２を介して見られる被写体の写真を撮影することができる。
【００２８】
撮影制御部１２１は、後述の保存モジュール１３０に保存されているデジタルフィルムに対応して写真撮影を行うことができる。ここで、デジタルフィルムは、既存のアナログ写真フィルムをデジタルで実現したものであって、それぞれが、撮影可能回数が制限されるように設定されている。よって、撮影制御部１２１は、デジタルフィルムの撮影可能回数に基づいて写真撮影を行うことができる。この際、図７ａに示すように、モバイル機器１０の画面には、デジタルフィルムの撮影可能回数および撮影制御部１２１による累積撮影回数が表示できる。
【００２９】
また、撮影制御部１２１の累積撮影回数が対応するデジタルフィルムの撮影可能回数と同一である場合には、撮影制御部１２１は、写真撮影の終了のために撮影ボタンのタッチができないように制御することができる。さらに、撮影制御部１２１は、モバイル機器１０の画面に、撮影の終了を知らせるメッセージを表示することもできる。
【００３０】
効果制御部１２３は、撮影制御部１２１による写真撮影の際に、被写体に対する撮影効果が提供されるように制御することができる。効果制御部１２３は、モバイル機器１０のフラッシュのオン／オフ動作を制御し、あるいは様々なフィルタを提供してイメージ変換を制御することができる。
【００３１】
効果制御部１２３は、撮影制御部１２１によって写真撮影が完了する前に、撮影効果を提供することができる。よって、撮影制御部１２１は、効果制御部１２３によって撮影画面に様々な効果が提供された状態で写真撮影を行うことができる。
【００３２】
保存モジュール１３０は、カメラ駆動モジュール１２０によって撮影された写真および撮影写真に対応する一つ以上のデジタルフィルムの保存を制御することができる。保存モジュール１３０は、モバイル機器１０のメモリ１５の一部領域に一つ以上のデジタルフィルムおよびこれらのそれぞれに対応する撮影写真を保存することができる。このような保存モジュール１３０は、図５に示すように、写真保存部１３１およびフィルム保存部１３３を含むことができる。
【００３３】
写真保存部１３１には、デジタルフィルムに対応するように一つ以上の撮影写真が保存できる。前述したように、カメラ駆動モジュール１２０の撮影制御部１２１は、一つ以上のデジタルフィルムの中から選択されたデジタルフィルムに対応して写真を撮影する。よって、写真保存部１３１は、選択されたデジタルフィルムに対応するように、撮影制御部１２１によって撮影された写真を保存することができる。写真保存部１３１に保存される撮影写真は、関連情報、たとえば撮影日時および撮影場所の情報を含むことができる。撮影日時の情報は、モバイル機器１０のプロセッサ１１から提供を受けることができ、撮影場所の情報は、モバイル機器１０のＧＰＳ１４から提供を受けることができる。写真保存部１３１は、図７ｂに示すように、多数の撮影写真をサムネイルイメージとして保存することができる。このとき、サムネイルイメージは、モノクロ画または陰画（ネガ）でありうる。
【００３４】
フィルム保存部１３３には、保有中の一つ以上のデジタルフィルムが保存できる。デジタルフィルムはアプリストア３０から購入され、各デジタルフィルムは撮影可能回数が設定されている。フィルム保存部１３３に保存されたデジタルフィルムは、最近写真撮影の行われたフィルムから順に整列されて保存され得る。ここで、フィルム保存部１３３に保存されたデジタルフィルムは、それぞれが種類別に互いに異なる撮影効果またはプリント効果を持つことができる。
【００３５】
また、フィルム保存部１３３は、カメラ駆動モジュール１２０によって撮影が完了したデジタルフィルム、すなわち撮影可能回数が終了したデジタルフィルムを保存することができる。この際、デジタルフィルムには、すでに撮影された一つ以上の写真が対応して保存できる。ここで、撮影が完了したデジタルフィルムは、後述するプリント要求モジュール１４０によってプリント要求が完了してから一定時間後に自動的に削除できる。
【００３６】
プリント要求モジュール１４０は、保存モジュール１３０に保存された撮影写真、すなわち、カメラ駆動モジュール１２０によって撮影された写真のプリント要求を行うことができる。プリント要求モジュール１４０は、通信網４０を介してプリントシステム２０に撮影写真を伝送してプリントを要求することができる。
【００３７】
プリント要求モジュール１４０は、撮影が完了して保存された撮影写真、すなわちデジタルフィルムの設定された撮影可能回数だけ撮影された写真に対して自動的にプリントを要求することができる。ただし、プリント要求モジュール１４０は、ユーザーの選択に応じて、デジタルフィルムの設定された撮影可能回数だけフィルム保存部１３３に保存されていない写真に対してもプリントを要求することもできる。
【００３８】
また、プリント要求モジュール１４０は、撮影写真と一緒に関連情報をプリントシステム２０へ伝送することができる。ここで、関連情報は、先立って説明したように撮影写真の日時および場所の情報を含むことができ、また、プリントされた写真を受け取る住所情報を含むことができる。住所情報は、ユーザーの住所またはプリントされた写真の配送先の住所でありうる。
【００３９】
決済モジュール１５０は、写真撮影およびプリント要求システム１００の実行中に発生する費用の決済進行を制御することができる。たとえば、決済モジュール１５０は、プリント要求モジュール１４０を介した写真プリント要求の際に発生するプリント費用の決済を行うことができる。また、決済モジュール１５０は、新規デジタルフィルムの購入により発生する購入費用の決済を行うことができる。決済モジュール１５０は、外部の決済情報システム（図示せず）に接続されて当該費用の決済を行うことができる。
【００４０】
表示モジュール１６０は、写真撮影およびプリント要求システム１００の各モジュールの動作に応じた画面が表示されるようにモバイル機器１０のディスプレイ１３の動作を制御することができる。たとえば、表示モジュール１６０は、制御モジュール１１０によるユーザー認証および権限管理の画面が表示されるように制御することができる。次いで、カメラ駆動モジュール１２０による写真撮影の画面と、これに対する撮影効果の画面とが表示されるように制御することができる。また、表示モジュール１６０は、保存モジュール１３０に保存された撮影写真およびデジタルフィルムの画面が表示されるように制御することができ、プリント要求モジュール１４０による写真プリント要求の画面が表示されるように制御することができ、決済モジュール１５０による費用決済の画面が表示されるように制御することができる。
【００４１】
一方、図７ａに示すように、表示モジュール１６０は、カメラ駆動モジュール１２０による撮影画面をモバイル機器１０のディスプレイ１３を介して表示するが、カメラ１２による現在時点のライブビュー画面と保存モジュール１３０に保存された以前の時点のプレビュー画面とが一緒に表示されるように制御することができる。
【００４２】
ここで、プレビュー画面は、ライブビュー画面の以前の時点で撮影されて保存された撮影写真であり得る。好ましくは、プレビュー画面は、ライブビュー直前の時点で撮影されて保存された撮影写真である。このようなプレビュー画面は、フィルムイメージ、すなわち陰画として表示できる。また、プレビュー画面は、モノクロイメージとしても表示できる。このときライブビュー画面は、陽画（ポジ）、たとえばカラーイメージとして表示できる。
【００４３】
上述したように、本実施形態の写真撮影およびプリント要求システム１００は、モバイル機器１０のカメラ１２を用いて写真を撮影し、撮影された写真の写真プリントを自動的に要求することができる。よって、従来のようにユーザーが撮影写真のプリントのために多数の撮影写真の中から選択する操作を省略できる。
【００４４】
また、本実施形態の写真撮影およびプリント要求システム１００は、デジタルで実現された撮影可能回数が制限されているデジタルフィルムに対応するように写真を撮影し、撮影された写真に対して自動的に写真プリントを要求することができる。よって、本発明の写真撮影およびプリント要求システム１００は、モバイル機器１０にアプリの形で搭載されるが、その動作の際に、従来のアナログフィルムを用いるカメラのような効果を提供することができる。
【００４５】
図６は本発明の写真撮影およびプリント要求システムを用いた写真撮影およびプリント要求方法を示す図である。以下では、説明の便宜のために、図１〜５を一緒に参照する。
【００４６】
まず、写真撮影およびプリント要求システム１００がモバイル機器１０に搭載されうる。写真撮影およびプリント要求システム１００は、アプリの形でモバイル機器１０に搭載でき、そのためのアプリは、通信網４０を介してアプリストア３０から提供を受けることができる。このとき、制御モジュール１１０によってユーザー認証が行われ得る。
【００４７】
写真撮影およびプリント要求システム１００が実行されて駆動されると（Ｓ１０）、制御モジュール１１０は、モバイル機器１０のプロセッサ１１から各構成要素、たとえばカメラ１２、ディスプレイ１３、ＧＰＳ１４およびメモリ１５の動作制御のための権限を取得することができる（Ｓ２０）。
【００４８】
権限が取得されると、カメラ駆動モジュール１２０は、保存モジュール１３０に保存されている多数のデジタルフィルムの中からいずれかを選択することができる（Ｓ３０）。
【００４９】
ここで、保存モジュール１３０の多数のデジタルフィルムは、種類別に互いに異なる撮影効果またはプリント効果を持つことができる。このようなデジタルフィルムは、それぞれが、撮影可能回数が設定されて制限された状態を持つことができる。
【００５０】
一方、保存モジュール１３０にデジタルフィルムが存在しない場合、写真撮影およびプリント要求システム１００は、アプリストア３０を介して新規デジタルフィルムを購入することができる。このとき、決済モジュール１５０は、デジタルフィルムの購入による費用を決済することができる。
【００５１】
デジタルフィルムが選択されると、カメラ駆動モジュール１２０の撮影制御部１２１は、選択されたデジタルフィルムに設定された撮影可能回数に基づいて、カメラ１２を用いて写真を撮影することができる（Ｓ４０）。
【００５２】
このとき、表示モジュール１６０は、モバイル機器１０のディスプレイ１３を介して撮影画面を表示することができる。撮影画面は、カメラ１２による二つの状態が一緒に表示されるように制御できる。たとえば、撮影画面は、カメラ１２による現在時点のライブビュー画面と、カメラ１２によって撮影された以前の時点、たとえば、ライブビュー直前の時点に撮影された写真のプレビュー画面とが一緒に表示できる。ここで、ライブビュー画面は、陽画、たとえばカラーイメージとして表示できる。これに対し、プレビュー画面は、陰画、たとえばフィルムイメージまたはモノクロイメージとして表示できる。
【００５３】
撮影された写真は、保存モジュール１３０の写真保存部１３１に保存できる。写真保存部１３１は、モバイル機器１０のメモリ１５の一部領域に撮影写真を保存することができる。このとき、撮影写真はサムネイルイメージとして保存できる。また、撮影写真は、陰画またはモノクロイメージとして保存できる。
【００５４】
次いで、カメラ１２によって写真が撮影されると、撮影制御部１２１は、累積撮影回数とデジタルフィルムの設定された回数、すなわち撮影可能回数とを比較することができる（Ｓ５０）。
【００５５】
比較した結果、累積撮影回数が撮影可能回数よりも小さい場合には、撮影制御部１２１は、撮影待機状態になり、モバイル機器１０の画面には撮影画面が表示できる。
【００５６】
ところが、比較した結果、累積撮影回数が撮影可能回数と同一である場合には、撮影制御部１２１は、撮影状態を終了し、モバイル機器１０の画面に撮影終了の案内が表示できる。
【００５７】
次いで、撮影が終了したら、プリント要求モジュール１４０は、保存モジュール１３０に保存された撮影写真を外部のプリントシステム２０へ伝送して写真プリントを要求することができる（Ｓ６０）。
【００５８】
プリント要求モジュール１４０は、保存モジュール１３０で選択されたデジタルフィルムに対応して保存された一つ以上の撮影写真をプリントシステム２０へ伝送することができる。このとき、プリント要求モジュール１４０は、撮影写真と一緒に関連情報をさらに伝送することができる。関連情報は、撮影写真の撮影日時および撮影場所の情報を含むことができる。さらに、関連情報は、プリントされた写真を受ける住所情報を含むことができる。
【００５９】
プリントシステム２０は、伝送された撮影写真をプリントし、プリントされた写真を住所情報に基づいてユーザー、すなわち顧客にてオフラインで配送することができる（Ｓ７０）。このとき、プリントシステム２０は、図７ｃに示すように、プリントされた写真の一部領域に撮影日時および撮影場所の情報を表示することができる。
【００６０】
上述したように、本実施形態の写真撮影およびプリント要求システム１００は、モバイル機器１０のカメラ１２を用いて写真を撮影し、撮影された写真に対して自動的に写真プリントを要求することができる。よって、従来のようにユーザーが撮影写真のプリントのために多数の撮影写真の中から選択する操作を省略できる。
【００６１】
また、本実施形態の写真撮影およびプリント要求システム１００は、デジタルで実現された撮影可能回数が制限されているデジタルフィルムに対応するように写真を撮影し、撮影された写真のプリントを自動的に要求することができる。よって、本発明の写真撮影およびプリント要求システム１００は、モバイル機器１０にアプリの形で搭載されるが、その動作の際に、従来のアナログフィルムを用いるカメラのような効果を提供することができる。
【符号の説明】
【００６２】
１０      モバイル機器
２０      プリントシステム
３０      アプリストア
４０      通信網
１００    写真撮影およびプリント要求システム
１１０    制御モジュール
１２０    カメラ駆動モジュール
１３０    保存モジュール
１４０    プリント要求モジュール
１５０    決済モジュール
１６０    表示モジュール
【図１】
2019186904.tif 000003
【図２】
2019186904.tif 000004
【図３】
2019186904.tif 000005
【図４】
2019186904.tif 000006
【図５】
2019186904.tif 000007
【図６】
2019186904.tif 000008
【図７ａ】
2019186904.tif 000009
【図７ｂ】
2019186904.tif 000010
【図７ｃ】
2019186904.tif 000011